(57)【要約】      （修正有）【課題】装飾素子を交換可能な時計を提供する。【解決手段】時計が本体とストラップとを含む。ストラップは第一通孔を含む。装飾基板がストラップの上面に設けられ、スナップリングがストラップの下面に設けられる。装飾基板及びスナップリングは相応して第一通孔と付着される。装飾基板は第一通孔と同軸に接続される第二通孔を含む。本体は第一通孔及び第二通孔内に装着される。本体の上面が拡張縁部を含み、拡張縁部は装飾基板内の第二通孔の上方縁部に取り付けられる。本体は底端部を更に含み、底端部は第一通孔を通じて延び、ストラップの下面の外側に達する。本体の底端部は外ネジを備え得る。スナップリングは底端部とネジ接続を形成し、ストラップ内の第一通孔の下方縁部より下に取り付けられる。【選択図】図１
0003176790.tif 000002
【実用新案登録請求の範囲】
【請求項１】
交換可能な装飾素子を備える時計であって、
本体と、ストラップとを含み、該ストラップは、第一通孔を含み、装飾基板が前記ストラップの上面の上に設けられ、スナップリングが前記ストラップの下面より下に設けられ、前記装飾基板及び前記スナップリングは、相応して前記第一通孔と付着され、前記装飾基板は、前記第一通孔と同軸に接続される第二通孔を含み、前記本体は、前記第一通孔及び前記第二通孔内に装着され、前記本体は、その上面の上に拡張縁部を含み、該拡張縁部は、前記装飾基板内の前記第二通孔の上方縁部より上に取り付けられ、前記本体は、前記第一通孔を通じて延び且つ前記ストラップの前記下面の外側に達する底端部を更に含み、前記本体の前記底端部は、その表面の上に外ネジを含み、前記スナップリングは、前記底端部とのネジ接続を形成し、前記ストラップ内の前記第一通孔の下方縁部と付着される、
時計。
【請求項２】
前記第一通孔は丸く、２つの第一制限平面が前記第一通孔の内壁の上に対称的に設けられ、前記本体は、相応して円筒形の形状を有し、２つの第二制限平面が、前記本体の外壁の上に相応して設けられ、前記第一制限平面及び前記第二制限平面は、表面接続を形成する、請求項１に記載の時計。
【請求項３】
前記装飾基板は、翡翠石によって形成される、請求項１に記載の時計。
【請求項４】
前記装飾基板の断面は、正方形、長方形、円形、ハート形、五角形、五の目形、六角形、三角形、及び、楕円形で構成される群から選択される形状を有する、請求項１に記載の時計。
【請求項５】
前記装飾基板内の前記第二通孔の上方縁部は、前記第二通孔の内部に向かって傾斜する傾斜平面を形成し、前記拡張縁部は、前記傾斜平面と付着され、前記装飾基板の上面よりも低い前記本体の上面をもたらす、請求項１に記載の時計。
【考案の詳細な説明】
【技術分野】
【０００１】
本開示は、日常の使用のための通常物品に関し、より具体的には、交換可能な装飾素子を有する時計に関する。
【背景技術】
【０００２】
時計が本体とストラップとを含むことは既知である。本体は時計における機能的な素子であり、本体内には、電気的動作、機械的動作、又は、４分の１動作が装着される。本体の外表面は時間を示す表示窓を備える。本体はストラップと接続される。使用者は腕にストラップを巻き付けることによって時計を身に付け、それによって、時計を携帯する便利を使用者にもたらす。
【０００３】
現時点で、時計は時間を知らせる以上のツールである。時計はより頻繁に装飾として使用される。急速に発展するハイテク世界においてさえも、時計は依然として人間にとって大衆的である。しかしながら、従来的な時計における装飾素子はストラップ又は本体の上に直接的に取り付けられるのが普通であり、よって、装飾素子を交換し得ないという欠点を招く。そのような時計は極めて単純な装飾機能を有し、市場における競争力を有さない。
【考案の概要】
【考案が解決しようとする課題】
【０００４】
上記に鑑み、本開示は従来技術に存する問題の少なくとも１つを解決することに向けられている。
【課題を解決するための手段】
【０００５】
従って、交換可能な装飾素子を備える時計が提供される。本開示に従った時計は極めて単純な素子及び結合構造を有し得る。各素子の交換を、特に装飾素子に関して単純化し得る。相応して、時計の装飾機能を向上し得る。
【０００６】
本開示のある特徴によれば、交換可能な装飾素子を備える時計が提供される。時計は、本体と、ストラップとを含み得る。ストラップは、第一通孔を含み得る。装飾基板をストラップの上面の上に設け、スナップリングをストラップの下面より下に設け得る。装飾基板及びスナップリングを、相応して第一通孔と付着し得る。装飾基板は、第一通孔と同軸に接続される第二通孔を含み得る。本体を第一通孔及び第二通孔内に装着し得る。本体の上面は、拡張縁部を含み得る。拡張縁部を装飾基板内の第二通孔の上方縁部の上に取り付け得る。本体は、第一通孔から延び且つストラップの下面の外側に達する底端部を含み得る。本体の底端部は、外ネジ（雄ネジ）を備え得る。スナップリングは、底端部とのネジ接続を形成し得る。スナップリングをストラップ内の第一通孔の下方縁部より下に取り付け得る。
【０００７】
本開示によれば、開示の時計は多くの利点及び利益をもたらし得る。詳細に言えば、本開示は、スナップリングを通じて本体をストラップの上に組み立て（或いはストラップから分解し）得る時計を提供する。また、装飾基板はスナップと共に取り付けられるので、時計の各部分の取り外しは極めて簡単である。加えて、使用者が装飾基板を異なる形状及び機能を有する他の装飾と交換することは便利である。よって、時計のスタイル又は外観の変更を達成し得る。そのようにして、選択的なＤＩＹ及び創造的な設計を得ることができ、人の要求を、特に若者のために十分に満足し得る。
【０００８】
本考案の更なる実施態様を請求項及び本考案の以下の記載から学び得る。
【０００９】
本開示のこれらの及び他の特徴及び利点は、図面と共に理解されるとき、以下の記載から明らかになり、より容易に理解されよう。
【図面の簡単な説明】
【００１０】
【図１】本開示のある実施態様に従った時計を示す組立図である。
【図２】本開示のある実施態様に従った時計を示す分解図である。
【図３】図１中の線Ｍ−Ｍに沿う断面図である。
【図４】本開示のある実施態様に従った正方形の装飾基板を示す投影図である。
【図５】本開示のある実施態様に従った長方形の装飾基板を示す投影図である。
【図６】本開示のある実施態様に従った円形の装飾基板を示す投影図である。
【図７】本開示のある実施態様に従った目形の装飾基板を示す投影図である。
【図８】本開示のある実施態様に従った楕円形の装飾基板を示す投影図である。
【図９】本開示のある実施態様に従った三角形の装飾基板を示す投影図である。
【図１０】本開示のある実施態様に従った六角形の装飾基板を示す投影図である。
【図１１】本開示のある実施態様に従った菱形の装飾基板を示す投影図である。
【図１２】本開示のある実施態様に従ったハート形の装飾基板を示す投影図である。
【図１３】本開示のある実施態様に従った五の目形の装飾基板を示す投影図である。
【考案を実施するための形態】
【００１１】
図面中、ストラップは１０によって示されており、第一通孔は１１によって示されており、第一制限平面は１２によって示されており、本体は２０によって示されており、第二制限平面は２１によって示されており、拡張縁部は２２によって示されており、装飾基板は３０によって示されており、第二通孔は３１によって示されており、スナップは４０によって示されている。
【００１２】
本開示の実施態様を詳細に参照する。ここに記載する実施態様は説明的且つ例示的であり、本開示を概ね理解するために使用される。実施態様は本開示を制限するものと解釈されてはならない。同一又は類似の素子及び同一又は類似の機能を有する素子は、本記載を通じて同じ参照番号によって示される。
【００１３】
本発明のある特徴によれば、交換可能な装飾素子を備える時計が提供される。時計は、本体と、ストラップとを含み得る。ストラップは、第一通孔を含み得る。装飾基板をストラップの上面に設け、スナップリングをストラップの下面に設け得る。装飾基板及びスナップリングを、相応して第一通孔と付着し得る。装飾基板は、第一通孔と同軸に接続される第二通孔を含み得る。本体を第一通孔及び第二通孔内に装着し得る。本体の上面は、拡張縁部を含み得る。拡張縁部を装飾基板内の第二通孔の上方縁部に取り付け得る。本体は、第一通孔を通じて延び且つストラップの下面の外側に達する底端部を含み得る。本体の底端部は、外ネジ（雄ネジ）を備え得る。スナップリングは、底端部とネジ接続を形成し得る。スナップリングをストラップ内の第一通孔の下方縁部より下に取り付け得る。
【００１４】
ある実施態様において、第一通孔は、円形であり得る。２つの第一制限平面を第一通孔の内壁に対称的に形成し得る。本体は、相応して円筒形状を備える。第二制限平面を本体の外側に相応して形成し得る。第一制限平面及び第二制限平面は、互いに表面接続を形成し得る。
【００１５】
ある実施態様では、翡翠石によって装飾基板を形成し得る。
【００１６】
ある実施態様において、装飾基板の断面は、正方形、長方形、円形、ハート形、五角形、五の目形、目形、六角形、三角形、及び、楕円形で構成される群から選択される形状を有し得る。
【００１７】
ある実施態様において、装飾基板内の第二通孔の上方縁部は、第二通孔の内部に向かって傾斜する傾斜平面を形成し得る。本体の拡張縁部を傾斜平面の上に取り付けることで、装飾基板の上面よりも低い本体の上面をもたらし得る。
【実施例１】
【００１８】
図１乃至３に示されるように、本開示のある実施態様に従った時計の詳細な構成が提供される。時計は、ストラップ１０と、本体２０と、装飾基板３０と、スナップリング４０とを含む。
【００１９】
ストラップ１０は、第一通孔１１を備える。第一通孔１１は丸く、２つの第一制限平面２１が円形の第一通孔１１の内壁の上に対称的に設けられる。
【００２０】
装飾基板３０は、ストラップ２０の上面の上に形成される。装飾基板３０は、第一通孔３０と同軸に接続される第二通孔３１を含む。第二通孔３１の直径は、第一通孔１１の直径よりも大きい。
【００２１】
本体２０は、第一通孔１１及び第二通孔３１内に装着される。本体２０は、円筒形の形状を有する。２つの第二制限平面２１が、円筒形の本体２０の外壁の上に形成される。第二制限平面２１は、第一制限平面１２との表面接続を形成することで、本体２０が第一通孔１１内で摺動又は回転することを防止する。本体２０の上方端部は、拡張縁部２２を含み、拡張縁部２２は、装飾基板３０内の第二通孔３１の上方縁部の上に取り付けられる。ある実施態様において、第二通孔３０の上方縁部は、第二通孔３１の内部に向かって傾斜する傾斜平面を形成する。本体２０の拡張縁部２２は、傾斜平面の上に取り付けられ、装飾基板３０の上面よりも低い本体２０の上面をもたらす。そのようにして、平坦な前面及び側面を備える時計を得ることができる。本体２０は底端部を含み、底端部は第一通孔１１を通じて延び、ストラップ１０の下面の外側に達する。本体の底端部は外ネジ（雄ネジ）を備える表面を有する。
【００２２】
スナップリング４０は、本体２０の底端部とのネジ接続を形成し、ストラップ１０内の第一通孔１１の下方縁部より下に取り付けられる。ネジ接続は、本体２０をストラップ１０と固定する接続力をもたらす。
【００２３】
ある実施態様では、時計の上に翡翠装飾をもたらすために、好ましくは、装飾基板３０を翡翠石で形成し得る。図３乃至１４に示されるように、装飾基板３０の投影図は、正方形、長方形、円形、目形、楕円形、三角形、六角形、菱形、及び、ハート形で構成される群から選択される形状を有し得る。ここでは、審美的な外観を備える如何なる形状をも適用し得る。実際の使用における条件に従って形状を調節し得る。
【００２４】
ある実施態様において、時計は、以下のステップを含む方法において組み立てられる。先ず、所定の形状を備える装飾基板３０を提供する。ストラップ１０内の第一通孔１１が装飾基板３０内の第二通孔３１と同軸に面する状態で、装飾基板３０をストラップ１０の上面に取り付ける。次に、本体２０の上方端部の上の拡張縁部２２が装飾基板３０の上面に付着し、本体２０の底端部がストラップ１０の下面の外側に達するまで、本体２０の底端部を、頂部から底部に、第二通孔３１及び第一通孔１１を通じて配置する。最後に、ストラップ１０が、本体２０とスナップリング４０との間のネジ接続を形成する方法において堅く締め付けられるまで、スナップリング４０を本体２０の底端部と係止する。時計を分解するときには、スナップリング４０を緩めるために、ネジ接続を形成する前記方向と反対の方向にスナップリング４０を回転し、次に、本体２０及び装飾基板３０を取り外し、交換し得る。
【００２５】
本開示の実施態様の追加的な特徴及び利点は、以下の記載において部分的に与えられ、以下の記載から部分的に明らかになり、或いは、本開示の実施態様の実施から学ばれるであろう。幾つかの実施態様を参照して本開示を詳細に記載したが、追加的な変形及び修正が、以下の請求項に記載し且つ以下の請求項において定める範囲及び精神内に存在する。
【符号の説明】
【００２６】
１０  ストラップ  (strap)
１１  第一通孔  (first  through  hole)
１２  第一制限平面  (first  restricting  plane)
２０  本体  (body)
２１  第二制限平面  (second  restricting  plane)
２２  拡張縁部  (extending  edge)
３０  装飾基板  (decorating  substrate)
３１  第二通孔  (second  through  hole)
４０  スナップリング  (snap  ring)
【図１】
0003176790.tif 000003
【図２】
0003176790.tif 000004
【図３】
0003176790.tif 000005
【図４】
0003176790.tif 000006
【図５】
0003176790.tif 000007
【図６】
0003176790.tif 000008
【図７】
0003176790.tif 000009
【図８】
0003176790.tif 000010
【図９】
0003176790.tif 000011
【図１０】
0003176790.tif 000012
【図１１】
0003176790.tif 000013
【図１２】
0003176790.tif 000014
【図１３】
0003176790.tif 000015